(57)【要約】【課題】互いに重なる昇降軌跡に沿って昇降可能に吊下支持されるインナーライトシェルフと日射遮蔽装置とを独立して昇降可能としながら、インナーライトシェルフと日射遮蔽装置を容易に設置し得る採光装置を提供する。【解決手段】窓面の室内側上部に設置した少なくとも１枚の板材で外光を反射して室内に採り入れるインナーライトシェルフと、インナーライトシェルフの下方に吊下支持される日射遮蔽材を昇降して、採光量を調節可能とした日射遮蔽装置とを備えた採光装置において、板材３ａ〜３ｆを吊下支持するヘッドボックス１に日射遮蔽材８を吊下支持する巻取装置５を設置し、板材３ａ〜３ｆの下方に巻取装置５から垂下されるコード６，７で日射遮蔽材８を吊下支持し、板材３ａ〜３ｆにはコード６，７を挿通可能とした挿通孔を設けた。【選択図】図２
2014035999.tif 000002
【特許請求の範囲】
【請求項１】
窓面の室内側上部に設置した少なくとも１枚の板材で外光を反射して室内に採り入れるインナーライトシェルフと、
前記インナーライトシェルフの下方に吊下支持される日射遮蔽材を昇降して、採光量を調節可能とした日射遮蔽装置と
を備えた採光装置において、
前記板材を吊下支持するヘッドボックスに前記日射遮蔽材を吊下支持する巻取装置を設置し、前記板材の下方に前記巻取装置から垂下されるコードで前記日射遮蔽材を吊下支持し、前記板材には前記コードを挿通可能とした挿通孔を設けたことを特徴とする採光装置。
【請求項２】
前記ヘッドボックスに、前記板材を昇降する駆動部を備えたことを特徴とする請求項１記載の採光装置。
【請求項３】
前記日射遮蔽装置として前記巻取装置から電動横型ブラインドを吊下支持し、前記挿通孔には前記電動横型ブラインドのラダーコード及び昇降コードを挿通したことを特徴とする請求項１又は２記載の採光装置。
【請求項４】
前記巻取装置内に、前記ラダーコードを介してスラットを回動するとともに前記昇降コードを介してスラットを昇降するモーターを設けたことを特徴とする請求項３記載の採光装置。
【請求項５】
前記ヘッドボックスには、操作手段の操作に基づいてモーター及び前記駆動部の動作を制御する制御部を備えたことを特徴とする請求項２又は４記載の採光装置。
【発明の詳細な説明】
【技術分野】
【０００１】
この発明は、例えば横型ブラインド等の日射遮蔽装置や、インナーライトシェルフを昇降可能に吊下支持した採光装置に関するものである。
【背景技術】
【０００２】
ライトシェルフは、窓の上部に設けた反射板で外光を天井面に向かって反射させて、間接光として採り入れるようにしたものである。このようなライトシェルフの下方に横型ブラインド等の日射遮蔽装置を吊下支持して、ライトシェルフで間接光を採り入れながら、日射遮蔽装置で採光量を調節するようにした採光装置が提案されている。
【０００３】
特許文献１には、窓上部の窓桟にライトシェルフを回動可能に支持し、その窓桟から横型ブラインドを吊下支持し、窓の上部では反射板で室内に間接光を採り入れ、窓の中間部から下方では横型ブラインドのスラットを昇降し、あるいは角度調節して、室内への採光量を調節可能とした日射制御装置が開示されている。
【０００４】
このライトシェルフでは、窓面の内側に反射板を吊下支持するとともに、反射板をほぼ水平方向に支持して、外光を天井面に向かって反射させて間接照明として利用するようにしたものである。また、反射板は窓面の内側上方位置に回動操作可能に配設されている。
【０００５】
特許文献２には、外壁の外側に設けた柱に設置されるライトシェルフが開示されている。
特許文献３には、窓に太陽光採光補助装置としてライトシェルフが設けられた構造が開示されている。
【先行技術文献】
【特許文献】
【０００６】
【特許文献１】特開２００６−２２２０１１号公報
【特許文献２】特許第３１０８７５３号公報
【特許文献３】特開平１０−１２０１９号公報
【発明の概要】
【発明が解決しようとする課題】
【０００７】
ライトシェルフの下方に横型ブラインドを設置するためには、ライトシェルフを設置する下地と横型ブラインドを設置するための下地とを別個に設ける必要がある。
また、ライトシェルフによる間接光の採光と、横型ブラインドによる直接光の遮蔽及び採光とを効率よく行うためには、ライトシェルフと横型ブラインドの相対位置を調整しながら、それぞれ下地に設置する必要がある。従って、ライトシェルフと横型ブラインドの設置作業が煩雑となるという問題点がある。
【０００８】
特許文献１には共通の窓桟にライトシェルフと横型ブラインドが設置されるため、ライトシェルフと横型ブラインドの設置位置を窓の前後方向に調整しようとすると、その調整範囲は窓桟の前後方向の寸法に依存する。従って、ライトシェルフと横型ブラインドの設置位置の自由度が低くなる。また、窓桟の室内側端縁にライトシェルフを支持すると、ライトシェルフ及び横型ブラインドを設置するために窓の前後方向に大きな設置空間を必要とするという問題点がある。
【０００９】
この発明の目的は、互いに重なる昇降軌跡に沿って昇降可能に吊下支持されるインナーライトシェルフと日射遮蔽装置とを独立して昇降可能としながら、インナーライトシェルフと日射遮蔽装置を容易に設置し得る採光装置を提供することにある。
【課題を解決するための手段】
【００１０】
請求項１では、窓面の室内側上部に設置した少なくとも１枚の板材で外光を反射して室内に採り入れるインナーライトシェルフと、前記インナーライトシェルフの下方に吊下支持される日射遮蔽材を昇降して、採光量を調節可能とした日射遮蔽装置とを備えた採光装置において、前記板材を吊下支持するヘッドボックスに前記日射遮蔽材を吊下支持する巻取装置を設置し、前記板材の下方に前記巻取装置から垂下されるコードで前記日射遮蔽材を吊下支持し、前記板材には前記コードを挿通可能とした挿通孔を設けた。
【００１１】
請求項２では、前記ヘッドボックスに、前記板材を昇降する駆動部を備えた。
請求項３では、前記日射遮蔽装置として前記巻取装置から電動横型ブラインドを吊下支持し、前記挿通孔には前記電動横型ブラインドのラダーコード及び昇降コードを挿通した。
【００１２】
請求項４では、前記巻取装置内に、前記ラダーコードを介してスラットを回動するとともに前記昇降コードを介してスラットを昇降するモーターを設けた。
請求項５では、前記ヘッドボックスには、操作手段の操作に基づいてモーター及び前記駆動部の動作を制御する制御部を備えた。
【発明の効果】
【００１３】
本発明によれば、互いに重なる昇降軌跡に沿って昇降可能に吊下支持されるインナーライトシェルフと日射遮蔽装置とを独立して昇降可能としながら、インナーライトシェルフと日射遮蔽装置を容易に設置することができる。
【図面の簡単な説明】
【００１４】
【図１】採光装置を示す正面図である。
【図２】採光装置を示す側面図である。
【図３】反射板を示す平面図である。
【図４】採光装置の設置状態を示す側面図である。
【図５】採光装置の電気的構成を示すブロック図である。
【図６】昇降動作を示す側面図である。
【図７】昇降動作を示す側面図である。
【図８】昇降動作を示す側面図である。
【発明を実施するための形態】
【００１５】
以下、この発明を具体化した一実施形態を図面に従って説明する。図１及び図２に示す採光装置は、窓の内側に設置される第一のヘッドボックス１から吊下コード２ａ〜２ｃを介して６枚の反射板３ａ〜３ｆが電動インナーライトシェルフとして吊下支持されている。
【００１６】
前記各反射板３ａ〜３ｆは、上面にアルミニウムが蒸着されたアクリルの板材で形成されるとともに、各反射板３ａ〜３ｆの長手方向３箇所の前後両側縁にそれぞれ６本ずつの吊下コード２ａ〜２ｃが前記第一のヘッドボックス１から垂下され、各反射板３ａ〜３ｆは吊下コード２ａ〜２ｃのいずれかを介して第一のヘッドボックス１に吊下支持されている。
【００１７】
前記反射板３ａ〜３ｆのうち、最上段の反射板３ａと、上から４段目の反射板３ｄとは６本の吊下コード２ａで所定の間隔を隔てて吊下支持される。同様に、上から２段目の反射板３ｂと、上から５段目の反射板３ｅとは吊下コード２ｂで所定の間隔を隔てて吊下支持され、上から３段目の反射板３ｃと、上から６段目の反射板３ｆとは吊下コード２ｃで所定の間隔を隔てて吊下支持される。
【００１８】
そして、反射板３ａ〜３ｆを下限まで下降させると、図１及び図２に示すように、反射板３ａ〜３ｆが等間隔を隔てて吊下支持される。
前記各吊下コード２ａ〜２ｃは、前記第一のヘッドボックス１内に配設される駆動部４からそれぞれ独立して昇降可能に吊下支持され、各反射板３ａ〜３ｆが上記組み合わせで２枚ずつ独立して昇降可能となっている。駆動部４には前記吊下コード２ａ〜２ｃをそれぞれ独立して昇降駆動するための複数のモーターが配設されている。
【００１９】
そして、各反射板３ａ〜３ｆが下限まで下降された状態では、図６に示すように、各反射板３ａ〜３ｆが等間隔を隔てて吊下支持され、各反射板３ａ〜３ｆが上限まで引き上げられると、図８に示すように、各反射板３ａ〜３ｆが第一のヘッドボックス１の下方に積層された状態で畳み込まれる。
【００２０】
なお、最下段の反射板３ｆは、吊下コード２ａ〜２ｃとは別の吊下コード（図示しない）でも吊下支持され、この吊下コードを介して反射板３ｆを引き上げることにより、各反射板３ａ〜３ｆが第一のヘッドボックス１の下方に積層された状態で畳み込まれる。
【００２１】
前記第一のヘッドボックス１内には、電動横型ブラインド（電動日射遮蔽装置）を吊下支持する第二のヘッドボックス５が収容されている。この第二のヘッドボックス５は、第一のヘッドボックス１の前後方向（図２において左右方向）中央部から室外側にオフセットされて収容されている。
【００２２】
図３に示すように、前記反射板３ａ〜３ｆには（図３では反射板３ａを示す）反射板３ａ〜３ｆの前後方向に延びる長孔１２が形成されている。各長孔１２は、反射板３ａ〜３ｆの長手方向において等間隔で３箇所に設けられている。そして、前記第二のヘッドボックス５から垂下される３本のラダーコード６及び第二のヘッドボックス５の長手方向両側から垂下される２本のラダーコード６の近傍に垂下される２本の昇降コード７は、前記長孔１２を貫通して垂下される。
【００２３】
前記反射板３ａ〜３ｆの下方で前記ラダーコード６に多数段のスラット８が支持されるとともに、そのスラット８に前記昇降コード７が挿通されている。そして、ラダーコード６及び昇降コード７の下端にボトムレール９が取着されている。
【００２４】
前記ラダーコード６の上端は、前記第二のヘッドボックス５内のラダーコード吊下装置１０に支持され、前記昇降コード７の上端は第二のヘッドボックス５内の昇降コード巻取装置１１から吊下支持されている。
【００２５】
そして、ラダーコード吊下装置１０の動作によりラダーコード６を介して各スラット８が同位相で回動され、昇降コード巻取装置１１の動作により昇降コード７が巻き上げられてボトムレール９及びスラット８が引き上げられ、あるいは昇降コード７が巻戻されてボトムレール９及びスラット８が下降する。
【００２６】
前記第二のヘッドボックス５内において、前記ラダーコード吊下装置１０及び昇降コード巻取装置１１には六角棒状のスラット駆動軸１３が相対回転不能に挿通され、そのスラット駆動軸１３の端部がモーター１４の出力軸に嵌着されている。
【００２７】
そして、モーター１４の作動によりスラット駆動軸１３が回転されると、ラダーコード吊下装置１０が作動してラダーコード６を介してスラット８が回動されるとともに、昇降コード巻取装置１１が作動してボトムレール９及びスラット８が引き上げられ、あるいは下降する。なお、各スラット８が全閉状態あるいは逆全閉状態まで回動されると、スラット駆動軸１３はラダーコード吊下装置１０に対し空回りして、スラット８の同方向へのそれ以上の回動が阻止される。
【００２８】
前記第二のヘッドボックス５内には前記モーター１４の動作を制御する制御基板１５が配設され、その制御基板１５の一側に前記スラット駆動軸１３の回転角度（回転量）を検出するエンコーダーがセンサー部１６として設けられている。そして、センサー部１６で検出されたモーター１４の回転量は制御部２２（図５参照）に出力される。
【００２９】
前記第二のヘッドボックス５の一端部には電源部１７が配設されている。そして、電源部１７は外部から供給される商用電源を直流電源に変換して前記制御基板１５及びモーター１４に供給するようになっている。
【００３０】
前記第二のヘッドボックス５の一端側の側面には複数のコネクタ１８が設けられ、そのコネクタ１８の一つには接続コードを介して操作スイッチ１９が接続されている。なお、多数台の電動横型ブラインドが連装される場合に、コネクタ１８には他の電動横型ブラインドの制御基板１５との間で通信信号を送受信するための信号伝送コード（図示しない）が接続される。
【００３１】
図４に示すように、前記第一のヘッドボックス１は窓の上方に設けられる収容凹部２７内に収容される。そして、前記反射板３ａ〜３ｆ及びスラット８が上限まで引き上げられると、反射板３ａ〜３ｆ及びスラット８が収容凹部２７内に位置して、室内側からの視界から遮られるようになっている。
【００３２】
次に、上記のような採光装置の電気的構成を図５に従って説明する。前記操作スイッチ１９の操作に基づく操作信号は、受信部２１を介して制御部２２に入力される。受信部２１及び制御部２２は、第一のヘッドボックス１内に設けられる。また、リモコン（通信信号スイッチ）２０の操作に基づく操作信号は、受信部２３を介して前記制御部２２に入力される。
【００３３】
センサー部２４は、第一のヘッドボックス１内において前記駆動部４内に配設される各モーターの回転量を検出するエンコーダーを備えている。そして、センサー部２４の検出信号が前記制御部２２に出力される。
【００３４】
また、前記第二のヘッドボックス５内に配設されるセンサー部１６の検出信号も制御部２２に入力される。そして、制御部２２は前記操作スイッチ１９あるいはリモコン２０から入力される操作信号と、センサー部１６，２４からの検出信号と、あらかじめ設定されているプログラムとに基づいて動作して、指令信号を出力する。制御部２２から出力される指令信号は、第一のヘッドボックス１内で駆動部４に配設される駆動回路部２５と、第二のヘッドボックス５内の制御基板１５に搭載される駆動回路部２６に出力される。
【００３５】
駆動回路部２５は、指令信号に基づいて駆動部４の動作を制御する。すると、反射板３ａ〜３ｆが昇降され、あるいは角度調節される。
また、駆動回路部２６は指令信号に基づいてモーター１４の動作を制御する。すると、電動横型ブラインドのボトムレール９及びスラット８が昇降され、あるいは回動される。
【００３６】
次に、上記のような採光装置の作用を説明する。
図６に示すように反射板３ａ〜３ｆ及びスラット８を下限まで下降させた状態では、外光を反射板３ａ〜３ｆで天井面に向かって反射して、間接照明として利用可能である。そして、太陽の高さに応じて反射板３ａ〜３ｆの角度を調整して、外光を効率よく取り入れ可能である。また、スラット８の角度を調整して、室内に取り入れる外光量を調節可能である。
【００３７】
操作スイッチ１９あるいはリモコン２０の操作により、反射板３ａ〜３ｆ及びスラット８の引き上げ操作指示が制御部２２に入力されると、まず反射板３ａ〜３ｆが引き上げられ、図７に示すように、最下段の反射板３ｆが上限位置に引き上げられるまで、反射板３ａ〜３ｆの引き上げ動作が継続される。最下段の反射板３ｆが上限位置まで引き上げられたか否かは、センサー部２４の検出信号に基づいて判定される。
【００３８】
反射板３ｆが上限まで引き上げられた後、ボトムレール９及びスラット８の引き上げ動作が開始され、図８に示すように、スラット８が上限に引き上げられるまでスラット８の引き上げ動作が継続される。スラット８が上限位置まで引き上げられたか否かは、センサー部１６の検出信号に基づいて判定される。
【００３９】
そして、スラット８が上限まで引き上げられると、スラット８の引き上げ動作が終了する。スラット８の上限位置は、最上段のスラット８が最下段の反射板３ｆに当接する直前に設定されている。
【００４０】
また、図８に示す状態から、反射板３ａ〜３ｆ及びスラット８の下降操作指示が制御部２２に入力されると、図７に示すように、まずスラット８が下限に達するまで下降動作が行われる。
【００４１】
スラット８が下限に達すると、反射板３ａ〜３ｆの下降動作が開始され、図６に示すように反射板３ａ〜３ｆが下限位置に達すると、反射板３ａ〜３ｆの下降動作が停止される。
【００４２】
上記のように構成された採光装置では、次に示す効果を得ることができる。
（１）反射板３ａ〜３ｆ及びスラット８の昇降操作及び角度調節操作により、室内への採光量を適宜調節することができる。
（２）反射板３ａ〜３ｆと電動横型ブラインドのスラット８とをそれぞれ独立して昇降及び角度調節することができる。
（３）電動横型ブラインドのスラット８を吊下支持する第二のヘッドボックス５を、反射板３ａ〜３ｆを吊下支持する第一のヘッドボックス１内に設置したので、第二のヘッドボックス５を取着するための下地を用意する必要はない。そして、第二のヘッドボックス５を取着した第一のヘッドボックス１を窓枠等の設置位置に一括して設置することができるので、設置現場で第一のヘッドボックス１と第二のヘッドボックス５の設置位置の調整を行う必要がなく、設置作業を容易に行うことができる。
（４）反射板３ａ〜３ｆに設けた長孔１２に電動横型ブラインドのラダーコード６及び昇降コード７を挿通したので、スラット８と反射板３ａ〜３ｆをその昇降軌跡が重なる状態で吊下支持することができるとともに、それぞれ独立して昇降可能である。従って、電動横型ブラインドと反射板３ａ〜３ｆを設置するために要する空間を縮小することができる。
（５）外光を反射板３ａ〜３ｆで天井面に向かって反射させて、間接光として利用することができるとともに、反射板３ａ〜３ｆの下方に吊下支持されるスラット８を昇降し、あるいは角度調節することにより、室内への採光量を調節することができる。
【００４３】
上記実施形態は、以下の態様で実施してもよい。
・上記実施形態において、電動横型ブラインドに代えて、プリーツスクリーンを吊下支持してもよい。この場合には、スクリーンの上端を第二のヘッドボックス５から昇降コードとは別の吊下げコードを介して吊下支持する必要がある。
【符号の説明】
【００４４】
１…第一のヘッドボックス、３ａ〜３ｆ…板材（反射板）、４…駆動部、５…巻取装置（第二のヘッドボックス）、６…コード（ラダーコード）、７…コード（昇降コード）、８…日射遮蔽材（スラット）、１２…挿通孔（長孔）、１４…モーター、１９…操作手段（操作スイッチ）、２２…制御部。
【図１】
2014035999.tif 000003
【図２】
2014035999.tif 000004
【図３】
2014035999.tif 000005
【図４】
2014035999.tif 000006
【図５】
2014035999.tif 000007
【図６】
2014035999.tif 000008
【図７】
2014035999.tif 000009
【図８】
2014035999.tif 000010